(57)【要約】【課題】主索がシーブの綱溝から離脱することを確実に防止しつつ、主索が外れ止め部材に当接したことを確実に検出可能としたエレベータの主索外れ止め装置を提供する。【解決手段】駆動シーブ１の外周面に対向配置したロープガード５を一対のブラケット６ａ，６ｂによって両端支持するとともに、ロープガード５に接着したひずみゲージ７を受感部とするひずみセンサ１２を設ける。ロープガード５に主ロープ２との当接に基づく外力が作用すると、ひずみセンサ１２の出力に応じて主索異常監視装置１３が主制御装置３に警報信号を出力し、エレベータの運行を停止する。【選択図】図１
2010083605.tif 000002
【特許請求の範囲】
【請求項１】
エレベータの主索がシーブの溝部から離脱することを防止するエレベータの主索外れ止め装置において、
上記シーブの幅方向に沿って配設された外れ止め部材を支持手段によって両端支持し、その外れ止め部材を主索に対して常時所定の間隔を隔てて対向させるとともに、その外れ止め部材に接着されたひずみゲージを受感部とするひずみセンサを設け、
上記ひずみセンサの出力に基づいて警報信号を発するようになっていることを特徴とするエレベータの主索外れ止め装置。
【請求項２】
上記ひずみゲージは、外れ止め部材の軸方向一端部に接着されていることを特徴とする請求項１に記載のエレベータの主索外れ止め装置。
【請求項３】
上記ひずみゲージは、外れ止め部材の軸方向一端部に外挿された保護カバー内に配置されていることを特徴とする請求項２に記載のエレベータの主索外れ止め装置。
【発明の詳細な説明】
【技術分野】
【０００１】
本発明は、エレベータの主索がシーブの溝部から離脱することを防止するエレベータの主索外れ止め装置に関し、特に、常時は主索に対して所定の間隔を隔てて対向する外れ止め部材が主索と当接したときに、これを検出してエレベータの運行を停止するエレベータの主索外れ止め装置に関する。
【背景技術】
【０００２】
この種のエレベータの主索外れ止め装置として、例えば特許文献１に記載の技術が提案されている。
【０００３】
この特許文献１に記載の技術では、取付金具をもって片持ち支持された外れ止め部材が、主索に対して常時所定の間隔を隔てるように対向配置されている一方、その外れ止め部材の反主索側に作動スイッチが配置されている。そして、例えば地震発生時に主索がシーブの溝部から離脱し、その主索がシーブの山部と外れ止め部材との間に挟まれた場合に、撓み変形した外れ止め部材が上記作動スイッチを押圧操作するとともに、その作動スイッチの検出信号を受信したエレベータの制御装置がエレベータの運行を停止するようになっている。
【特許文献１】特開２００１−１６３５４１号公報
【発明の開示】
【発明が解決しようとする課題】
【０００４】
しかしながら、特許文献１に記載の技術では、外れ止め部材の撓み変形によって作動スイッチが検出作動するようになっており、その外れ止め部材の撓み変形分だけシーブと外れ止め部材との間隔が広がってしまうことから、シーブの溝部から主索が離脱することを確実に防止できず、場合によってはシーブから主索が脱落してしまう虞があった。
【０００５】
その上、例えば主索のストランドや素線が破断して主索本体から飛び出したり、主索の一部が直径方向に膨出するなどの損傷を主索に生じている場合、その主索の損傷部位が、外れ止め部材とシーブとの間を通過するときに、外れ止め部材と摺接することがある。このようにして外れ止め部材に主索が当接した場合、上記作動スイッチを検出作動させるに足る程度に大きい外力が外れ止め部材に作用しないことから、その状態でエレベータが運行を続けてしまい、主索をさらに損傷させてしまう虞があった。
【０００６】
本発明は、このような課題に鑑みてなされたものであって、特に、主索がシーブの溝部から離脱することを確実に防止しつつ、主索が外れ止め部材に当接したことを確実に検出可能とし、安全性をより向上させたエレベータの主索外れ止め装置を提供することを目的としている。
【課題を解決するための手段】
【０００７】
請求項１に記載の発明は、エレベータの主索がシーブの溝部から離脱することを防止するエレベータの主索外れ止め装置において、上記シーブの幅方向に沿って配設された外れ止め部材を支持手段によって両端支持し、その外れ止め部材を主索に対して常時所定の間隔を隔てて対向させるとともに、その外れ止め部材に接着されたひずみゲージを受感部とするひずみセンサを設け、上記ひずみセンサの出力に基づいて警報信号を発するようになっていることを特徴としている。
【０００８】
したがって、この請求項１に記載の発明では、外れ止め部材を両端支持することで、主索が外れ止め部材に当接した場合における外れ止め部材の撓み変形を抑制しつつも、その外れ止め部材に作用する外力をひずみセンサをもって検出可能になる。
【０００９】
また、主索が外れ止め部材に当接すると当該外れ止め部材の根本部に大きな曲げモーメントが発生することになるから、請求項２に記載の発明のように、上記ひずみゲージを外れ止め部材の軸方向一端部に接着すると、外れ止め部材に作用する外力を高精度に検出する上で好ましいものとなる。
【００１０】
さらに、上記ひずみゲージを保護してその性能を長期に渡って維持する上では、請求項３に記載の発明のように、上記ひずみゲージは外れ止め部材の軸方向一端部に外挿されたカバー部材内に配置されていることが好ましい。
【発明の効果】
【００１１】
請求項１に記載の発明によれば、外れ止め部材を両端支持することで、主索が当接した際の外れ止め部材の撓み変形を抑制し、主索がシーブの溝部から離脱することを確実に防止しつつも、主索との当接によって外れ止め部材に作用する外力が比較的小さい場合であってもこれをひずみセンサによって検出して警報信号を発することができるから、例えばストランド切れや素線切れなどの主索の異常を早期に発見可能となり、エレベータの安全性が飛躍的に高まる。
【発明を実施するための最良の形態】
【００１２】
図１は、本発明のより具体的な実施の形態としてエレベータの主索外れ止め装置を示す一部断面図である。
【００１３】
図１に示すように、巻上機の駆動シーブ１の外周面にはその幅方向で複数の綱溝１ａが溝部として形成されていて、それら各綱溝１ａにそれぞれ主索である主ロープ２が巻き掛けられている。なお、周知のように、主制御装置３の指令に基づいて回転動作する駆動モータ４の回転動力が図示外の減速装置を介して駆動シーブ１に与えられるようになっていて、その駆動シーブ１の回転動作によって主ロープ２を介して図示外のかごが昇降することになる。
【００１４】
駆動シーブ１のうち各主ロープ２の出入口部分には、その駆動シーブ１の幅方向に沿った外れ止め部材としてのロープガード５が当該駆動シーブ１の外周面と対向して配置されている。そのロープガード５は、駆動シーブ１の幅方向両側にそれぞれ設けられ、互いに対向して配置された支持手段としての一対のブラケット６ａ，６ｂをもって両端支持されていて、各主ロープ２に対して常時所定の間隔を隔てて対向している。なお、両ブラケット６ａ，６ｂは巻上機のうち図示外のフレームに固定されている。
【００１５】
より詳細には、ロープガード５は鋼材から形成されていて、各主ロープ２に対向する略円柱状の外れ止め部５ａと、その外れ止め部５ａの両端から当該外れ止め部５ａと同軸上に延出する一対の雄ねじ部５ｂ，５ｃと、を有しており、外れ止め部５ａの軸方向一端部にひずみゲージ７が接着されている。また、両雄ねじ部５ｂ，５ｃは、両ブラケット６ａ，６ｂに穿設された挿通孔にそれぞれ挿入されていて、それら両雄ねじ部５ｂ，５ｃのうち一方の雄ねじ部５ｃがブラケット６ｂを挟持する一対のナット８ｂ，８ｃによってそのブラケット６ｂに固定されている一方、他方の雄ねじ部５ｂはブラケット６ａを挟持するナット８ａおよび後述する保護カバー９によってそのブラケット６ａに固定されている。
【００１６】
保護カバー９は、内周側に雌ねじが形成され、雄ねじ部５ｂに螺合する雌ねじ部９ａと、その雌ねじ部９ａから軸方向に突出する略円筒状のカバー部９ｂと、を有しており、雌ねじ部９ａがブラケット６ａのうち駆動シーブ１側の内側面に着座している一方、カバー部９ｂと外れ止め部５ａとの間に形成された環状空間１０にひずみゲージ７が受容されている。なお、環状空間１０には、ひずみゲージ７の保護およびそのひずみゲージ７のリード線７ａを固定すべく、例えばシリコン等の樹脂材料からなるコーティング材が充填されている。
【００１７】
他方、ひずみゲージ７は、周知のように、当該ひずみゲージ７とともにブリッジ回路を構成するひずみ検出回路１１に接続されており、それらひずみゲージ７とひずみ検出回路１１とにより、ひずみゲージ７を受感部として外れ止め部５ａに作用する外力に比例した電圧を出力するひずみセンサ１２が構成されている。また、ひずみ検出回路１１の出力電圧は増幅器１３によって拡大された上で主索異常監視装置１４に取り込まれるようになっている。
【００１８】
主索異常監視装置１４は、ひずみ検出回路１１の出力電圧が予め定められた設定値を超えた場合に主制御装置３へ警報信号を出力するようになっている。さらに、主制御装置３は、警報信号を受信すると直ちにエレベータの運行を停止するとともに、その警報信号の受信履歴を記憶手段３ａに記憶することになる。
【００１９】
以上のように構成したエレベータの主索外れ止め装置では、エレベータの平常運転時には、ロープガード５と各主ロープ２との間に所定の間隔が保たれており、各主ロープ２はロープガード５に当接することなく動作して図示外のかごを昇降させることになる。
【００２０】
一方、例えば比較的大きな地震が発生し、その震動によって各主ロープ２のうち少なくともいずれかが駆動シーブ１の綱溝１ａから浮き上がった場合には、その主ロープ２にロープガード５の外れ止め部５ａが当接し、綱溝１ａからの主ロープ２の離脱が確実に防止される。同時に、外れ止め部５ａと主ロープ２が当接することでひずみ検出回路１１の出力電圧が増大して上記設定値を超えると、主索異常監視装置１４から主制御装置３へ警報信号が出力され、主制御装置３がエレベータの運行を停止することになる。
【００２１】
他方、各主ロープ２のうち少なくともいずれかに、ストランドや素線が破断して主ロープ本体から飛び出したり、その主ロープ２の一部が直径方向に膨出するなどの損傷を生じている場合には、その主ロープ２の損傷部位が外れ止め部５ａに相当する部位を通過するときに、主ロープ２と外れ止め部５ａが当接し、ひずみ検出回路１１の出力電圧が増大する。そして、ひずみ検出回路１１の出力電圧が上記設定値を超えると主索異常監視装置１４から主制御装置３へ警報信号が出力され、主制御装置３がエレベータの運行を停止することになる。
【００２２】
したがって、本実施の形態によれば、ロープガード５を両端支持することで主ロープ２との当接に基づく当該ロープガード５の変形を抑制しつつも、そのロープガード５に作用する外力をひずみセンサ１２によって検出するようになっているため、主ロープ２が駆動シーブ１の溝部１ａから離脱することを確実に防止できる上に、主ロープ２との当接によってロープガード５に作用する外力が比較的小さい場合であってもこれを検出して警報信号を発報可能になるから、例えばストランド切れや素線切れに代表されるような主ロープ２の異常を早期に発見可能となり、エレベータの安全性をより高めることができる。
【００２３】
また、外れ止め部５ａのうち主ロープ２が当接したときに比較的大きいひずみを生じることになる軸方向一端を被測定箇所としてひずみゲージ７を設けているため、外れ止め部５ａに作用する外力をより高精度に検出できるメリットがある。
【００２４】
さらに、主制御装置３の記憶手段３ａが警報信号の受信履歴を記憶するようになっているため、エレベータの運行停止後に復旧作業を行う作業員が警報信号の受信履歴を参照して効率的に作業を行えるようになる。
【００２５】
なお、本実施の形態では、外れ止め部５ａの一端部にひずみゲージ７を設けているが、外れ止め部５ａの両端部にそれぞれひずみゲージ７を設けてもよい。この場合には、外れ止め部５ａに作用する外力をさらに高精度に検出可能となるメリットがある。
【００２６】
また、本実施の形態では、巻上機の駆動シーブ１に主索外れ止め装置を適用した例を示しているが、例えば吊り車やそらせ車など、主ロープが巻き掛けられる他のシーブにも本発明にかかる主索外れ止め装置を適用可能であることは言うまでもない。
【図面の簡単な説明】
【００２７】
【図１】本発明の実施の形態としてエレベータの主索外れ止め装置を示す一部断面図。
【符号の説明】
【００２８】
１…駆動シーブ
１ａ…綱溝（溝部）
２…主ロープ（主索）
５…ロープガード（外れ止め部材）
６ａ…ブラケット（支持手段）
６ｂ…ブラケット（支持手段）
７…ひずみゲージ
１２…ひずみセンサ
【図１】
2010083605.tif 000003